【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
爪車と、
第1の回転軸線の周りを回転するように配置された第1の計数ホイールであって、前記爪車からの駆動を受け取って、前記第1の回転軸線の周りで第1の計数ホイールを回転させる、1つまたは複数の爪車駆動受取り要素がその上に配置された第1の計数ホイールと、
前記第1の回転軸線の周りを回転するように配置された第2の計数ホイールであって、一組の歯が環状にその上に配置された第2の計数ホイールと、
前記第1の回転軸線からずれた第2の回転軸線の周りを回転するように配置されたキックホイールであって、一組のキック歯が環状にその上に配置され、キックホイールの回転運動が前記第2の計数ホイールの回転運動をもたらすように、前記一組のキック歯が前記第2の計数ホイールの前記一組の歯と噛合する関係にあるキックホイールとを備え、
前記第1の計数ホイールが、断続的な噛合が生じたときのみ、前記第1の計数ホイールの回転運動が前記キックホイールの回転運動をもたらすように、前記キックホイールの前記キック歯と断続的に噛合するように配置された少なくとも1つの割送り歯をさらに含む、薬剤ディスペンサに使用される用量カウンタ。
【請求項２】
前記爪車が、前記第1の回転軸線の周りで回転するように配置された爪車ホイールである、請求項1に記載の用量カウンタ。
【請求項３】
前記爪車が1つまたは複数の爪車駆動タングを備える、請求項1または2に記載の用量カウンタ。
【請求項４】
前記1つまたは複数の爪車駆動受取り要素が前記第1の計数ホイールの周りに環状に配置された、請求項1から3のいずれか一項に記載の用量カウンタ。
【請求項５】
前記第1および第2の計数ホイールの少なくとも1つがディスクまたはリングの形態を有する、請求項1から4のいずれか一項に記載の用量カウンタ。
【請求項６】
前記第1の計数ホイールが前記爪車を受け入れるように配置された円形キャビティを備え、前記爪車駆動受取り要素が、前記爪車との歯止めで動く駆動相互作用のため、前記キャビティの内周壁の周りに配置された、請求項5に記載の用量カウンタ。
【請求項７】
前記爪車が、少なくとも1つの駆動受取り要素を備え、その動きをもたらす駆動を受け取るようになっており、該少なくとも1つの駆動受取り要素が前記第1の軸線に対してずれている、請求項1から6のいずれか一項に記載の用量カウンタ。
【請求項８】
前記第2の計数ホイールがリングの形態を取り、前記第1の計数ホイールが前記リング内に配設された、請求項1から7のいずれか一項に記載の用量カウンタ。
【請求項９】
前記第2の計数ホイールの前記一組の歯が、前記計数ホイールの外向きに面する円周面上に設けられた、請求項1から8のいずれか一項に記載の用量カウンタ。
【請求項１０】
前記少なくとも1つの割送り歯が、前記第1の計数ホイールの前記円周もしくはその周りの地点で固定され、前記第1の計数ホイールの回転が、前記第1の計数ホイールが一回転する間ごとに一度噛合が生じるように、前記第1の計数ホイールの回転サイクルの特定の地点で前記少なくとも1つの割送り歯を前記キックホイールの前記キック歯と噛合させるように配置された、請求項1から9のいずれか一項に記載の用量カウンタ。
【請求項１１】
前記計数ホイールの一方または両方と相互作用して、それらの逆の動きを防ぐため、逆回転機構を有する、請求項1から10のいずれか一項に記載の用量カウンタ。
【請求項１２】
前記第1および第2の計数ホイールが、使用の際、同じ向きで前記第1の軸線の周りを回転するように適合された、請求項1から11のいずれか一項に記載の用量カウンタ。
【請求項１３】
前記第1および第2の計数ホイールがそこを通って回転可能な表示領域と、前記表示領域を閉じる閉鎖位置まで動くことができるシャッターとを有する、請求項1から12のいずれか一項に記載の用量カウンタ。
【請求項１４】
前記計数ホイールの少なくとも1つの動きに応答して、前記シャッターがその閉鎖位置まで動くように構成配置され、前記少なくとも1つの計数ホイールおよび該シャッターが、使用の際、該少なくとも1つの計数ホイールがそれらを介して該シャッターをその閉鎖位置まで動かす協働部品を有する、請求項13に記載の用量カウンタ。
【請求項１５】
前記計数ホイールの一連の計数を表示し、前記一連の計数の終了時に前記シャッターをその閉鎖位置まで移動させるように構成配置された、請求項13または14に記載の用量カウンタ。
【請求項１６】
前記シャッターが前記計数ホイールの1つに包含された、請求項13から15のいずれか一項に記載の用量カウンタ。
【請求項１７】
前記計数ホイールが前記シャッターと一体に形成された、請求項16に記載の用量カウンタ。
【請求項１８】
前記シャッターが他方の計数ホイールの上に重なる、請求項16または17に記載の用量カウンタ。
【請求項１９】
前記シャッターが前記第2の計数ホイールに包含された、請求項16から18のいずれか一項に記載の用量カウンタ。
【請求項２０】
前記第1の計数ホイールが前記キックホイールを介して前記第2の計数ホイールを駆動回転させることができる動作計数モードから、前記第1の計数ホイールが前記キックホイールを介して前記第2の計数ホイールを駆動回転させることができない動作非計数モードへ順に続くように構成配置された、請求項1から19のいずれか一項に記載の用量カウンタ。
【請求項２１】
前記非計数モードでは、前記キック歯を前記少なくとも1つの割送り歯および/または前記第2の計数ホイールの歯と噛合させることができないように構成配置された、請求項20に記載の用量カウンタ。
【請求項２２】
前記非計数モードにおける噛合を不能にするため、前記一組のキック歯または前記第2の計数ホイールの歯にギャップが設けられた、請求項21に記載の用量カウンタ。
【請求項２３】
共通の回転軸線上で回転するように同心で配置された、計数しるしをその上にそれぞれ有する第1および第2の計数ホイールと、
カウンタの計数と位置を合わせ、かつそれを表示するため、各計数ホイールの前記計数しるしに対して位置付けられた表示領域と、
前記表示領域と位置を合わせている前記第1の計数ホイールの前記計数しるしを変更するため、前記第1の計数ホイールを予め定められた向きで漸増的に回転させる爪車と、
前記表示領域と位置を合わせている前記第2の計数ホイールの前記計数しるしを変更するため、前記第1の計数ホイールの漸増的回転を予め定められた向きで前記第2の計数ホイールの漸増的回転に断続的に伝達するように適合された機構と、を備える、薬剤ディスペンサから分配される薬剤用量の数を計数する用量カウンタ。
【請求項２４】
前記機構が、前記第1の計数ホイールの各回転サイクルの予め定められた同じ地点で、前記第1の計数ホイールの回転を前記第2の計数ホイールに断続的にのみ伝達するように適合された、請求項23に記載の用量カウンタ。
【請求項２５】
前記予め定められた向きが同じ向きである、請求項23または24に記載の用量カウンタ。
【請求項２６】
前記計数ホイール上の前記計数しるしが、前記表示領域内のカウントダウン計数を提供するものである、請求項23から25のいずれか一項に記載の用量カウンタ。
【請求項２７】
前記機構が歯車機構である、請求項23から26のいずれか一項に記載の用量カウンタ。